(57)【特許請求の範囲】
【請求項１】
首輪部分、胴輪部分及び両者を背中側で連結する連結帯と腹側で連結する連結部分からなるペットの胴輪において、
首輪部分と胴輪部分及び両者を腹側で連結する連結部分をペットのボディに略合わせて幅広にまた一連に形成すると共に胴輪部分の背中側を長さ調節自在に設け、また、首輪部分と胴輪部分を背中側で連結する連結帯をループ状に形成して、該連結帯のループ内に胴輪部分の背中側を前後、左右方向移動自在に挿通設置すると共に、リード連結用のリング若しくはリードの先端を前後方向移動自在に嵌挿設置してなる、
ペットの胴輪。
【請求項２】
首輪部分、胴輪部分、及び腹側の連結部分を幅広く一連に形成して、首輪部分の前部に広い胸当て状部を形成したものである、
請求項１のペットの胴輪。
【請求項３】
胴輪部分の背中側を幅の狭いテープ状部に形成し、該テープ状部を長さ調節自在に設けると共に、該テープ状部分を背中側の連結帯のループに前後、左右方向に移動自在に挿通するようにしたものである、
請求項１のペットの胴輪。
【請求項４】
長さ調節自在な首輪部分及び胴輪部分を背中側の連結帯と腹側の連結帯で連結して４者を一連に形成してなる周知構成のペットの胴輪において、
背中側の連結帯をループ状に形成して、該連結帯のループ内にリード連結用のリング若しくはリードの先端を前後方向移動自在に嵌挿設置してなる、
ペットの胴輪。
【請求項５】
首輪部分、胴輪部分及び両者を背中側で連結する連結帯と腹側で連結する連結部分からなるペットの胴輪において、
背中側の連結帯に羽根状の飾りを取付けたことを特徴とする、
請求項１のペットの胴輪。
【請求項６】
長さ調節自在な首輪部分及び胴輪部分を背中側の連結帯と腹側の連結帯で連結して４者を一連に形成してなる周知構成のペットの胴輪において、
背中側の連結帯に羽根状の飾りを取付けたことを特徴とする、
請求項４のペットの胴輪。
【請求項７】
背中側の連結帯に取付ける羽根状の飾りは、キューピットの羽根、各種鳥の羽根，蝶、蜂等の昆虫の羽根、その他の各種の羽根、翼等をデザインしたものである、
請求項５のペットの胴輪。
【請求項８】
背中側の連結帯に取付ける羽根状の飾りは、キューピットの羽根、各種鳥の羽根，蝶、蜂等の昆虫の羽根、その他の各種の羽根、翼等をデザインしたものである、
請求項６のペットの胴輪。
【発明の詳細な説明】
【０００１】
【産業上の利用分野】
本発明は、ペット用、主として犬用の繋索用具としての胴輪に係り、
その１は、首輪部分、胴輪部分、及び腹側の連結部分を一連に幅広に形成して、ペットの身体に優しくフィットするように設けると共に、背中側の連結帯をループ状に形成して、該ループ内に胴輪の背中側を移動自在に挿通すると共に、リード連結用のリング若しくはリードの先端を移動自在に嵌挿することによって、散歩時等に胴輪がずれたり反転したりして、飼主がコントロールしにくく、また、ペットにとっても動きづらい等の不都合を無くしたことを特徴とする、ペットの胴輪を提供する。
【０００２】
その２は、長さ調節自在な首輪部分及び胴輪部分を背中側の連結帯と腹側の連結帯で連結して４者を一連に形成してなる周知構成のペットの胴輪において、背中側の連結帯をループ状に形成して、該ループ内にリード連結用のリング若しくはリードの先端を前後方向移動自在に嵌挿設置することによって、散歩時等に飼主がコントロールしにくく、また、ペットにとっても動きづらい等の不都合を無くししたことを特徴とする、ペットの胴輪を提供する。
【０００３】
また、上記の各ペットの胴輪において、その背中側の連結帯に可愛らしいキューピットの羽根等の羽根状の飾りを取付けたことを特徴とする、ペットの胴輪を提供する。
【０００４】
【従来の課題】
ペット用、主として犬用の繋索用具として、首に巻装して用いる「首輪」が最も一般的に使用されているが、この他に、ペットの首に巻装する首輪部分と前肢直後辺の胴に巻装する胴輪部分を背中側と腹側の各連結帯で夫々連結して４者一連に形成し、背中側の連結帯にリード（引紐）を取付けるようにした構成の、ペットの「胴輪」が広く使用されている。
【０００５】
該胴輪は、首輪に比し装着がやや面倒な他は、首輪で繋ぎ、引き廻すのに比して、ペット等にとって優しく身体的負担が少ないと共に、飼主の側からすると首輪よりも外れにくいと共に、ペットの首と胴を同時に牽引できるため、ペットをコントロールしやすい等の利点が認められている。
【０００６】
ところが、従来一般的に使用されている胴輪は何れも首輪部分、胴輪部分及び両者の連結部分が幅の狭い、また同じ幅のテープ（ナイロン平織紐、合成、天然皮紐等）で設けられているため、安価ではあるが、ペットの身体に喰い込んで身体的負担をかける課題があり、また、リード若しくはリードを連結するリングを胴輪の背中側の定位置の１ヶ所に固定的に取付けており、更に、首輪、胴輪、背中、腹の連結部分の４者を縫着その他により固着して構成しているため、夫々の間の自在性に欠け、そのため散歩時等にペットが飼主の前方や後方に駆け出したり、左側、右側に入れ替るように移動したりすると、首輪部分や胴輪部分が反転してしまったり、捻れたり、胴輪全体がペットの背中から脇腹にずれてしまったりする難点があり、飼主がコントロールしにくいと共にペットも動きにくい等の課題があった。
【０００７】
【発明による課題の解決】
そこで、本発明は、胴輪の首輪部分、胴輪部分及び腹側の連結部分を従来の狭幅のテープに代えて、首輪部分の前部が胸当を形成するような幅の広く３者一連に形成することによって、ペットの体形によくフィットするようにして、ペットの身体に優しく形成し、
【０００８】
また、ペットが飼主の右、左方向へ移動したとき胴輪全体が捻れたり、脇腹方向へ移動してしまって、ペットが動きにくくなるようなことがないように、狭幅に形成した胴輪部分の背中側の部分を背中側の連結帯のループ内に挿通して前後、左右方向へ移動自在に備え、
【０００９】
更に、上記の本発明胴輪及び周知構成の胴輪に共通する課題である、ペットが飼主の前方若しくは後方に移動したとき、首輪部分または胴輪部分がリードに引かれて反転したり、捻れたりしないようにする対策として、それぞれの背中側の連結帯のループ内に、リード連結用のリング若しくはリードの先端を嵌挿して、前後方向へ移動自在に備えることによって上記従来の課題を有効に解決したものである。
【００１０】
【課題を解決する手段】
「その１」
即ち、本発明は、首輪部分、胴輪部分及び両者を背中側で連結する連結帯と腹側で連結する連結部分からなるペットの胴輪において、首輪部分と胴輪部分及び両者を腹側で連結する連結部分をペットのボディに略合わせて幅広にまた一連に形成すると共に胴輪部分の背中側を長さ調節自在に設け、また、首輪部分と胴輪部分を背中側で連結する連結帯をループ状に形成して、該連結帯のループ内に胴輪部分の背中側を前後、左右方向移動自在に挿通設置すると共に、同ループ内にリード連結用のリング若しくはリードの先端を前後方向移動自在に嵌挿設置してなる、ペットの胴輪によって課題を解決したものである。
【００１１】
「その２」
また、本発明は、長さ調節自在な首輪部分及び胴輪部分を背中側の連結帯と腹側の連結帯で連結して４者を一連に形成してなる周知構成のペットの胴輪において、
背中側の連結帯をループ状に形成して、該連結帯のループ内にリード連結用のリング若しくはリードの先端を前後方向移動自在に嵌挿設置してなる、ペットの胴輪によって課題を解決したものである。
【００１２】
【実施例】
「その１」
本発明の実施例につき説明する。（図１〜図４）
首輪部分、胴輪部分及び両者を背中側で連結する連結帯と腹側で連結する連結部分からなるペットの胴輪において、首輪部分１と胴輪部分２及び両者を腹側で連結する連結部分３をペット６のボディに略合わせて幅広にまた一連に形成すると共に胴輪部分２の背中側２ａを長さ調節自在に設け、また、首輪部分１と胴輪部分２を背中側で連結する連結帯４をループ５状に形成して、該連結帯４のループ５内に胴輪部分２の背中側２ａを前後、左右方向移動自在に挿通設置すると共に、ループ５内にリード７連結用のリング８若しくはリード７の先端を前後方向移動自在に嵌挿設置してなる、ペットの胴輪Ａである。
【００１３】
上記胴輪Ａにおいて、必要に応じて、首輪部分１、胴輪部分２、及び腹側の連結部分３を幅広く一連に形成して、首輪部分の前部に広い胸当て状部１ａを形成したものである。
【００１４】
また、胴輪部分２の背中側２ａを幅の狭いテープ状部に形成し、調節手段９等で該テープ状部の長さ調節自在に設けると共に、該テープ状の部分を背中側の連結帯４のループ５に前後、左右方向に移動自在に挿通して設けてもよい。
【００１５】
【実施例】
「その２」（図５〜図１０）
また、本発明は、長さ調節自在な首輪部分１１及び胴輪部分１２を背中側の連結帯１４と腹側の連結帯１３で連結して４者を一連に形成してなる周知構成のペットの胴輪において、
背中側の連結帯１４をループ１５状に形成して、該連結帯１４のループ１５内にリード７連結用のリング８若しくはリード７の先端を前後方向移動自在に嵌挿設置してなる、ペットの胴輪Ｂによって課題を解決したものである。
【００１６】
首輪部分１１、胴輪部分１２、背中側の連結帯１４、腹側の連結帯１３の４者は、繊維、レザー、皮、その他任意素材のテープで設け、首輪部分１１及び胴輪部分１２は適宜の調節手段１９で長さ調節自在に設ける。
【００１７】
また、ペット６をより以上に愛らしく見せる手段として、胴輪Ｂの背中側の連結帯１４に羽根状の飾り２０を取付ける。
【００１８】
その羽根状の飾り２０は、例えば、キューピットの羽根(図示例)、各種鳥の羽根，蝶、蜂等の昆虫の羽根、その他の各種の羽根、翼等をデザインしたものである。
【００１９】
なお、図５〜図１０に示すの実施例は羽根状の飾り２０を胴輪Ｂの背中側の連結帯１４に実施したものであるが、胴輪Ａの背中側の連結帯４に実施した場合も同様である。
【００２０】
【作用】
本発明胴輪Ａは図４に示すように、その首輪部分１にペット６の頭部を挿通してその首に巻装着すると共に、腹側の連結部分３の左右にペット６の前肢を夫々通して該連
結部分３をペット６の胸部から腹部に当て、胴輪部分２をペット６の前肢直後辺に巻装し、胴にフィットするようにその長さを調節手段９で調節して装着し、背中側の連結帯４のリング８にリード７の先端を連結する。
【００２１】
上記のように本発明胴輪Ａを装着して、ペット６を散歩等に連れ歩くとき、ペット６が飼主の前方または後方へ移動してリード７を引張ると、背中側の連結帯４のループ５に移動自在に挿置したリング８が後方または前方へ移動し、また、ペット６が左、または右方向へ移動してリード７が引かれると、ペット６の胴部に巻装した胴輪部分２の背中側２ａの部分がループ５内を前後、左右の負荷方向に自在に摺動して対応するものである。
【００２２】
本発明胴輪Ｂは図１０に示すように、ペット６の首に首輪部分１１を長さ調節して嵌挿すると共に、胴輪部分１２をペット６の胴から背中に長さ調節して巻き付けて装着し、背中側の連結帯１４のリング８にリード７の先端を連結して用いる。
【００２３】
【効果】
以上のように、本発明胴輪Ａは、その首輪部分、胴輪部分及び腹側の連結部分を幅広く一連に設けて、ペットの体形によくフィットするようにしたので、ペットの身体に優しく、運動時等の身体的負担を軽減でき、また、飼主の方も小さな力でペットをコントロールできる優れた利点がある。
【００２４】
背中側の連結帯のループにリード連結用のリングと、胴輪部分の背中側の部分を夫々移動自在に備えたので、ペットの動きに合わせてリングが自在に移動し、また、胴輪が自在に摺動移動して、首輪部分、胴輪部分等の反転や捻れ、或は胴輪全体の捻れや脇腹へのずれ動き等を有効に防止して、常に安定した状態を保持でき、飼主、ペットの双方に快適な優れた特徴がある。
【００２５】
ベストに近似した幅広に形成するようにしたので、そのデザインのバリエーションを楽しめると共に、材料として種々の色彩、文様等の服地その他を自由に使用でき、また、裏面にボアを使用するなどによって防寒用のものを形成するなど、種々多様な目的に対応できる。
【００２６】
胴輪Ｂの場合も上記と同様に、散歩時等にペットが飼主の前後左右等に急に移動したような場合でも、それに従ってリードを連結したリングが背中側の連結帯のループ内を移動するため、胴輪がずれたり反転したりして、飼主がコントロールしにくく、また、ペットにとっても動きづらい等の不都合を無くしたことを特徴としている。
【００２７】
また、胴輪Ａ、胴輪Ｂ共に、背中側の連結帯に羽根状の飾りを取付けることによって、それが恰もキューピットの羽根等のように見えて、ペットをより以上愛らしく見せることができる効果がある。
【図面の簡単な説明】
【図１】本発明胴輪Ａの実施例の正面図。
【図２】平面図。
【図３】底面図。
【図４】胴輪Ａをペット（犬）に着用した状態を示す図。
【図５】本発明胴輪Ｂの実施例の正面図。
【図６】平面図。
【図７】右側面図。
【図８】図６のＣ−Ｃ線断面矢視図。
【図９】図６の背中側の連結帯のＤ−Ｄ線断面図。
【図１０】胴輪Ｂをペット（犬）に着用した状態を示す図。
【符号の説明】
Ａ    本発明胴輪
１    首輪部分
１ａ  胸当て状部
２    胴輪部分
２ａ  背中側
３    連結部分（腹側）
４    連結帯（背中側）
５    ループ
６    ペット（犬）
７    リード（引紐）
８    リング
９    長さ調節手段
Ｂ    本発明胴輪
１１  首輪部分
１２  胴輪部分
１３  連結帯（腹側）
１４  連結帯（背中側）
１５  ループ
１９  長さ調節手段
２０  羽根状の飾り
【図１】
0004858742.tif 000002
【図２】
0004858742.tif 000003
【図３】
0004858742.tif 000004
【図４】
0004858742.tif 000005
【図５】
0004858742.tif 000006
【図６】
0004858742.tif 000007
【図７】
0004858742.tif 000008
【図８】
0004858742.tif 000009
【図９】
0004858742.tif 000010
【図１０】
0004858742.tif 000011